【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
映像信号及び同期信号を処理して出力する映像処理装置において、
第１の映像信号に対応する第１の同期信号と、前記第１の映像信号とフレームレートの異なる第２の映像信号に対応する第２の同期信号とを、ユーザによる前記第１の映像信号から前記第２の映像信号への切り換え操作に応じて切り換えて出力する第１の切り換え手段と、
前記第１の切り換え手段から出力された同期信号の間隔をクロック数により計測する計測手段と、
前記計測手段により計測されたクロック数を用いて、前記第１の切り換え手段から出力された同期信号よりも少なくとも１周期分遅延した遅延同期信号を生成する遅延同期信号生成部と、
前記第１の同期信号および前記第２の同期信号のいずれよりも間隔の長い同期信号である内部同期信号を生成する内部同期信号生成部と、
前記計測手段により計測されたクロック数が予め決められた範囲に含まれるか否かを判別する判別手段と、
前記計測されたクロック数が予め決められた範囲に含まれないと判別された場合、前記第１の同期信号から少なくとも１周期分遅延された遅延同期信号と、前記第２の同期信号から少なくとも１周期分遅延された遅延同期信号との間に前記内部同期信号が挿入されるように前記遅延同期信号と前記内部同期信号とを切り換えて出力する第２の切り換え手段とを有する
ことを特徴とする映像処理装置。
【請求項２】
前記判別手段が判別に用いる予め決められたクロック数の範囲は、少なくとも、前記第１の同期信号および前記第２の同期信号の間隔に要するクロック数のうち、いずれか小さい側の値から、いずれか大きい側の値までの範囲を含む
ことを特徴とする請求項１に記載の映像処理装置。
【請求項３】
前記第２の切り換え手段から出力された同期信号のクロック数を取得して、一定期間保持する保持手段をさらに有する
ことを特徴とする請求項１または２に記載の映像処理装置。
【請求項４】
映像信号及び同期信号を処理して出力する映像処理装置において、
第１の映像信号に対応する第１の同期信号と、第２の映像信号に対応し、前記第１の同期信号と位相の異なる第２の同期信号とを、ユーザによる前記第１の映像信号から前記第２の映像信号への切り換え操作に応じて切り換えて出力する第１の切り換え手段と、
遅延同期信号を生成する遅延同期信号生成部と、
予め決められた周期の内部同期信号を生成する内部同期信号生成部と、
前記第１の同期信号に基づく同期信号と、前記第２の同期信号に基づく同期信号との間に前記内部同期信号が挿入されるように前記遅延同期信号と前記内部同期信号とを切り換えて出力する第２の切り換え手段と、
前記第１の切り換え手段から出力される同期信号と前記第２の切り換え手段から出力される同期信号との位相を比較して位相差情報を出力する位相比較部とを有し、
前記遅延同期信号生成部は、前記位相比較部による位相差情報に基づいて、前記第１の切り換え手段から出力される同期信号との位相差を徐々に減少させるように遅延同期信号の生成を行う
ことを特徴とする映像処理装置。
【請求項５】
映像信号及び同期信号を処理して出力する映像処理装置の制御方法において、
第１の切り換え手段が、第１の映像信号に対応する第１の同期信号と、前記第１の映像信号とフレームレートの異なる第２の映像信号に対応する第２の同期信号とを、ユーザによる前記第１の映像信号から前記第２の映像信号への切り換え操作に応じて切り換えて出力するプロセスと、
計測手段が、前記第１の切り換え手段から出力された同期信号の間隔をクロック数により計測するプロセスと、
遅延同期信号生成部が、前記計測手段により計測されたクロック数を用いて、前記第１の切り換え手段から出力された同期信号よりも少なくとも１周期分遅延した遅延同期信号を生成するプロセスと、
内部同期信号生成部が、前記第１の同期信号および前記第２の同期信号のいずれよりも間隔の長い同期信号である内部同期信号を生成するプロセスと、
判別手段が、前記計測手段により計測されたクロック数が予め決められた範囲に含まれるか否かを判別するプロセスと、
前記計測されたクロック数が予め決められた範囲に含まれないと判別された場合、第２の切り換え手段が、前記第１の同期信号から少なくとも１周期分遅延された遅延同期信号と、前記第２の同期信号から少なくとも１周期分遅延された遅延同期信号との間に前記内部同期信号が挿入されるように前記遅延同期信号と前記内部同期信号とを切り換えて出力するプロセスとを有する
ことを特徴とする映像処理装置の制御方法。
【請求項６】
映像信号及び同期信号を処理して出力する映像処理装置の制御方法において、
第１の切り換え手段が、第１の映像信号に対応する第１の同期信号と、第２の映像信号に対応し、前記第１の同期信号と位相の異なる第２の同期信号とを、ユーザによる前記第１の映像信号から前記第２の映像信号への切り換え操作に応じて切り換えて出力するプロセスと、
遅延同期信号生成部が、遅延同期信号を生成するプロセスと、
内部同期信号生成部が、予め決められた周期の内部同期信号を生成するプロセスと、
第２の切り換え手段が、前記第１の同期信号に基づく同期信号と、前記第２の同期信号に基づく同期信号との間に前記内部同期信号が挿入されるように前記遅延同期信号と前記内部同期信号とを切り換えて出力するプロセスと、
位相比較部が、前記第１の切り換え手段から出力される同期信号と前記第２の切り換え手段から出力される同期信号との位相を比較して位相差情報を出力するプロセスとを有し、
前記遅延同期信号を生成するプロセスにおいて、前記遅延同期信号生成部は、前記位相比較部による位相差情報に基づいて、前記第１の切り換え手段から出力される同期信号との位相差を徐々に減少させるように遅延同期信号の生成を行う
ことを特徴とする映像処理装置の制御方法。
【手続補正２】
【補正対象書類名】明細書
【補正対象項目名】発明の名称
【補正方法】変更
【補正の内容】
【発明の名称】映像処理装置およびその制御方法
【手続補正３】
【補正対象書類名】明細書
【補正対象項目名】０００１
【補正方法】変更
【補正の内容】
【０００１】
この発明は、映像処理装置およびその制御方法に関し、特に、同期信号を生成し出力する装置に適用して好適なものである。
【手続補正４】
【補正対象書類名】明細書
【補正対象項目名】００１６
【補正方法】変更
【補正の内容】
【００１６】
前記目的を達成するために、この発明は以下の構成を取る。すなわち、
映像信号及び同期信号を処理して出力する映像処理装置において、
第１の映像信号に対応する第１の同期信号と、前記第１の映像信号とフレームレートの異なる第２の映像信号に対応する第２の同期信号とを、ユーザによる前記第１の映像信号から前記第２の映像信号への切り換え操作に応じて切り換えて出力する第１の切り換え手段と、
前記第１の切り換え手段から出力された同期信号の間隔をクロック数により計測する計測手段と、
前記計測手段により計測されたクロック数を用いて、前記第１の切り換え手段から出力された同期信号よりも少なくとも１周期分遅延した遅延同期信号を生成する遅延同期信号生成部と、
前記第１の同期信号および前記第２の同期信号のいずれよりも間隔の長い同期信号である内部同期信号を生成する内部同期信号生成部と、
前記計測手段により計測されたクロック数が予め決められた範囲に含まれるか否かを判別する判別手段と、
前記計測されたクロック数が予め決められた範囲に含まれないと判別された場合、前記第１の同期信号から少なくとも１周期分遅延された遅延同期信号と、前記第２の同期信号から少なくとも１周期分遅延された遅延同期信号との間に前記内部同期信号が挿入されるように前記遅延同期信号と前記内部同期信号とを切り換えて出力する第２の切り換え手段とを有することを特徴とする映像処理装置である。
この発明はまた、以下の構成を取る。すなわち、
映像信号及び同期信号を処理して出力する映像処理装置において、
第１の映像信号に対応する第１の同期信号と、第２の映像信号に対応し、前記第１の同
期信号と位相の異なる第２の同期信号とを、ユーザによる前記第１の映像信号から前記第２の映像信号への切り換え操作に応じて切り換えて出力する第１の切り換え手段と、
遅延同期信号を生成する遅延同期信号生成部と、
予め決められた周期の内部同期信号を生成する内部同期信号生成部と、
前記第１の同期信号に基づく同期信号と、前記第２の同期信号に基づく同期信号との間に前記内部同期信号が挿入されるように前記遅延同期信号と前記内部同期信号とを切り換えて出力する第２の切り換え手段と、
前記第１の切り換え手段から出力される同期信号と前記第２の切り換え手段から出力される同期信号との位相を比較して位相差情報を出力する位相比較部とを有し、
前記遅延同期信号生成部は、前記位相比較部による位相差情報に基づいて、前記第１の切り換え手段から出力される同期信号との位相差を徐々に減少させるように遅延同期信号の生成を行うことを特徴とする映像処理装置である。
この発明はまた、以下の構成を取る。すなわち、
映像信号及び同期信号を処理して出力する映像処理装置の制御方法において、
第１の切り換え手段が、第１の映像信号に対応する第１の同期信号と、前記第１の映像信号とフレームレートの異なる第２の映像信号に対応する第２の同期信号とを、ユーザによる前記第１の映像信号から前記第２の映像信号への切り換え操作に応じて切り換えて出力するプロセスと、
計測手段が、前記第１の切り換え手段から出力された同期信号の間隔をクロック数により計測するプロセスと、
遅延同期信号生成部が、前記計測手段により計測されたクロック数を用いて、前記第１の切り換え手段から出力された同期信号よりも少なくとも１周期分遅延した遅延同期信号を生成するプロセスと、
内部同期信号生成部が、前記第１の同期信号および前記第２の同期信号のいずれよりも間隔の長い同期信号である内部同期信号を生成するプロセスと、
判別手段が、前記計測手段により計測されたクロック数が予め決められた範囲に含まれるか否かを判別するプロセスと、
前記計測されたクロック数が予め決められた範囲に含まれないと判別された場合、第２の切り換え手段が、前記第１の同期信号から少なくとも１周期分遅延された遅延同期信号と、前記第２の同期信号から少なくとも１周期分遅延された遅延同期信号との間に前記内部同期信号が挿入されるように前記遅延同期信号と前記内部同期信号とを切り換えて出力するプロセスとを有することを特徴とする映像処理装置の制御方法である。
この発明はまた、以下の構成を取る。すなわち、
映像信号及び同期信号を処理して出力する映像処理装置の制御方法において、
第１の切り換え手段が、第１の映像信号に対応する第１の同期信号と、第２の映像信号に対応し、前記第１の同期信号と位相の異なる第２の同期信号とを、ユーザによる前記第１の映像信号から前記第２の映像信号への切り換え操作に応じて切り換えて出力するプロセスと、
遅延同期信号生成部が、遅延同期信号を生成するプロセスと、
内部同期信号生成部が、予め決められた周期の内部同期信号を生成するプロセスと、
第２の切り換え手段が、前記第１の同期信号に基づく同期信号と、前記第２の同期信号に基づく同期信号との間に前記内部同期信号が挿入されるように前記遅延同期信号と前記内部同期信号とを切り換えて出力するプロセスと、
位相比較部が、前記第１の切り換え手段から出力される同期信号と前記第２の切り換え手段から出力される同期信号との位相を比較して位相差情報を出力するプロセスとを有し、
前記遅延同期信号を生成するプロセスにおいて、前記遅延同期信号生成部は、前記位相比較部による位相差情報に基づいて、前記第１の切り換え手段から出力される同期信号との位相差を徐々に減少させるように遅延同期信号の生成を行う
ことを特徴とする映像処理装置の制御方法である。